(57)【要約】【課題】カーペット用やフローリング床用など用途に応じて粘着テープを簡単に変更することができる、全く新規な粘着式清掃具を提供する。【解決手段】被清掃面上を移動するローラ２１を有する清掃具本体２と、一方の面に被清掃面上に付着したゴミを捕捉する清掃用粘着面４２が形成された清掃シート４とを備え、清掃シート４の他方の面に固定用粘着面４３ａ〜４３ｃを設けて、ローラ２１の外周面に清掃シート４を巻き付けて使用する。【選択図】  図１
2005013642.tif 000002
【特許請求の範囲】
【請求項１】
被清掃面上を転動するローラを含む清掃具本体と、一方の面に上記被清掃面上に付着したゴミを捕捉する清掃用粘着面が形成され、他方の面が所定の固定手段を介して上記ローラの外周面に沿って巻き付けられる清掃シートとを有することを特徴とする粘着式清掃具。
【請求項２】
上記固定手段は、上記清掃シートの他方の面に形成された固定用粘着面からなる請求項１に記載の粘着式清掃具。
【請求項３】
上記固定手段は、上記清掃シートの一部をほぼ１８０°折り曲げて、上記他方の面に露出した上記清掃用粘着面の一部からなる請求項１に記載の粘着式清掃具。
【請求項４】
上記移動体は、少なくとも表面がゴム弾性を有する素材によって構成されている請求項１ないし４のいずれか１項に記載の粘着式清掃具。
【請求項５】
上記清掃シートは、その幅が上記移動体の軸方向の長さとほぼ等しく、その長さが上記移動体の外周の１周長分に相当する請求項１ないし４のいずれか１項に記載の粘着式清掃具。
【請求項６】
上記清掃シートは、所定の台紙上に複数枚積層した状態で載置されており、上記清掃シートおよび／または上記台紙には、上記移動体に上記清掃シートを巻き付ける際に、上記移動体の移動をガイドするためのガイド手段が設けられている請求項１ないし５のいずれか１項に記載の粘着式清掃具。
【請求項７】
上記ガイド手段は、上記清掃シートの長さ方向の一端側に沿って上記台紙上に設けられたガイドレールからなる請求項６に記載の粘着式清掃具。
【請求項８】
上記ガイドレールは、その高さが上記清掃シートの積層厚さよりも高い請求項７に記載の粘着式清掃具。
【請求項９】
一方の面に被清掃面上に付着したゴミを捕捉する清掃用粘着面が形成され、他方の面に被清掃面上を転動するローラの外周面に沿って巻き付けるための固定手段を有することを特徴とする清掃シート。
【発明の詳細な説明】
【０００１】
【発明の属する技術分野】
本発明は、被清掃面上に付着したゴミを粘着面で捕らえる粘着式清掃具に関し、さらに詳しく言えば、カーペット用やフローリング床用など用途に応じて粘着テープを簡単に変更することができる粘着式清掃具に関する。
【０００２】
【従来の技術】
カーペットなどに付着した髪の毛や糸くずなどのゴミは、パイルに絡み込みやすく真空吸引掃除機では除去しきれないことが多い。そこで、この種のゴミを効率よく除去する道具として、粘着テープなどの粘着面を被清掃面上に接触させて、その粘着面でゴミを捕捉するようにした粘着式清掃具が提供されている。
【０００３】
一般的な粘着式清掃具としては、例えば特許文献１に開示されているように、粘着面が表側を向くように巻回された粘着テープロールと、この粘着テープロールを回転可能に支持する清掃具本体とを備え、清掃具本体に形成されたテープ支持部に円筒スリーブ状の粘着テープを差し込んで使用するものが主流である。
【０００４】
これによれば、粘着テープロールを被清掃面上で転がすことで、粘着面でゴミを簡単かつ効率的に捕捉することができるばかりでなく、使用後は汚れた最外層の粘着テープを剥がし取るだけで簡単に後始末できるという手軽さから家庭用だけでなく業務用途としても広く使用されている。
【０００５】
また、この種の粘着テープロールは床材の種類に応じて、カーペット用やフローリング床用など種類分けされていることが多く、粘着テープの基材や粘着剤のの粘着力、その塗布形状などが用途に応じて分けられている。
【０００６】
【特許文献１】
特開２００２−３１５７１８号公報
【０００７】
【発明が解決しようとする課題】
しかしながら、粘着テープロールを用いる粘着式清掃具には、次のような問題があった。すなわち、従来の方式では、粘着テープはロール状に多重に巻回されているため、使用後に汚れたシートを一巻きずつ剥がし取る必要があるが、汚れた清掃面は、不潔でありできるだけ触れたくない。
【０００８】
また、粘着テープには切断用の切れ目が一定間隔で設けられているが、切れ目に沿って汚れた粘着テープをきれいに剥がし取ることは難しく、髪の毛などのゴミが切れ目に跨るように付着した場合には、さらに剥がしにくくなった。
【０００９】
さらに、この種の粘着テープロールは、一旦開封してしまうと、使い切るまでずっと同じ種類のものを使い続ける必要があった。特に、特許文献１に記載されたものは巻き芯がないため、一度清掃具本体に取り付けてしまうと、取り外しがきかない。
【００１０】
最近の住宅は、居住者の用途や家族構成などによって各部屋の床材がカーペットや畳、フローリング床などまちまちであるため、例えばカーペット用の粘着テープを使ってしまうと、他の床材には使用することができない。そのため、今までは部屋の床数に応じて清掃具本体を買い揃えるしか術はなかった。清掃具本体は、粘着テープロールの単価よりも数倍と高く、購買者の費用負担も大きい。
【００１１】
そこで、本発明は上述した課題を解決するためになされたものであって、その目的は、カーペット用やフローリング床用など用途に応じて粘着テープを簡単に変更することができる、全く新規な粘着式清掃具を提供することにある。
【００１２】
【課題を解決するための手段】
上述した目的を達成するため、本発明は、被清掃面上を転動するローラを含む清掃具本体と、一方の面に上記被清掃面上に付着したゴミを捕捉する清掃用粘着面が形成され、他方の面が所定の固定手段を介して上記移動体の外周面に沿って巻き付けられる清掃シートとを有することを特徴としている。
【００１３】
これによれば、使用する直前に清掃シートを清掃具本体の移動体に巻き付けて使用することが可能となり、清掃を終え汚れた清掃シートは今まで通り簡単に除去することができるとともに、使用する床材の種類に応じて清掃シートの種類を簡単に変更することができ、１つの清掃具本体で多種の清掃シートに適用することができる。
【００１４】
本発明において、移動体に巻き付けられる清掃シートは、単に１枚のみ巻き付けてもよいし、複数枚積層した状態で巻き付けてもよく、１枚のみ巻き付けた場合は、簡易的な清掃用途に好適であり、複数枚巻き付けた場合は、広い面積の被清掃面を清掃する際に清掃シートをいちいち取り替える面倒から解放される。
【００１５】
上記固定手段の好ましい態様としては、上記清掃シートの他方の面に形成された固定用粘着面からなる。これによれば、固定用の粘着剤層を構成するだけで、簡単かつ確実に清掃シートを固定することができる。
【００１６】
上記固定手段の別の手法としては、上記清掃シートの一部をほぼ１８０°折り曲げて、上記他方の面に露出した上記清掃用粘着面の一部からなるものであってもよい。これによれば、清掃用粘着面の一部を共有することにより、粘着剤の使用量を減らすことができ、製造コストを安く抑えることができる。
【００１７】
本発明においては、清掃シートを移動体に貼り付けて使用するため、粘着シートをきれいに移動体に貼り付ける必要がある。そこで、上記移動体は、少なくとも表面がゴム弾性を有する素材によって構成されていることが好ましい。これによれば、移動体のゴム弾性によって清掃シートに適度なテンション（張力）がかかり、清掃シートの粘着面をきれいに貼ることができる。
【００１８】
上記清掃シートは、その幅が上記移動体の軸方向の長さとほぼ等しく、その長さが上記移動体の外周の１周長分に相当する形状に形成されている。すなわち、移動体の形状を一定サイズに規定しておけば、１台の製造装置で複数種類の清掃シートを作り出すことができ、生産コストをより抑えることができる。また、消費者側も１つの清掃具本体を複数種類の粘着シートを使用できる。
【００１９】
上記清掃シートは、所定の台紙上に複数枚積層した状態で載置されており、上記清掃シートおよび／または上記台紙には、上記移動体に上記清掃シートを巻き付ける際に、上記移動体の移動をガイドするためのガイド手段が設けられている。
【００２０】
これによれば、清掃シートを台紙上に積層することで、商品の梱包スペースがロール体としたときよりも小さくなり、運搬コストなども安く抑えられるばかりでなく、単位体積当たりの商品展示量を増やすことができる。また、ガイド手段を設けたことで、熟練を要すことなく、誰でも簡単かつきれいに清掃シートを移動体に巻き付けることができる。
【００２１】
上記ガイド手段の具体的な形態としては、上記清掃シートの長さ方向の一端側に沿って上記台紙上に設けられたガイドレールからなる。なお、ガイドレールは１本であってもよいし、２本のガイドレールを清掃シートを挟むように平行に設けてもよい。
【００２２】
上記ガイドレールは、その高さが上記清掃シートの積層厚さよりも高いことが好ましい。これによれば、ガイドレールの側壁面が確実に移動体の側壁面に接触することができ、使用開始から最後の１枚に至まで清掃シートを移動体上にきれいに巻き付けることができる。
【００２３】
本発明にはさらに、一方の面に被清掃面上に付着したゴミを捕捉する清掃用粘着面が形成され、他方の面に被清掃面上を転動するローラの外周面に沿って巻き付けるための固定手段を有することを特徴とする清掃シートも含まれる。
【００２４】
【発明の実施の形態】
次に、本発明の実施形態について図面を参照しながら説明する。図１は、本発明の一実施形態に係る粘着式清掃具の斜視図である。この粘着式清掃具１は、例えばカーペット床などの被清掃面上を移動する移動体２１を有する清掃具本体２と、同清掃具本体２の移動体２１の外周に巻き付けられる清掃シート４を備えるシートストッカー３とを備えている。
【００２５】
清掃具本体２は、手によって把持されるグリップ２２と、同グリップ２２の下端からグリップ２２とは離反する方向に突設された支持部２３とを備え、支持部２３の他端側には、移動体２１が回転可能に設けられている。
【００２６】
移動体２１は、好ましくは例えば発泡ゴムなどのスキン層を備えた円筒状のローラ２１からなり、中心には支持部２３を回転可能に軸支する軸受部２１１が設けられている。この実施形態において、軸受部２１１はローラ２１の内部に一体的に組み込まれ、そこに支持部２３が回転可能に挿通されている。
【００２７】
この実施形態において、ローラ２１（移動体２１）は、その表面に発泡ゴムからなるスキン層が設けられた円筒状のローラからなるが、これ以外に、例えば発泡ウレタンやゴムなど適度なゴム弾性を有するものがあれば、その素材は任意である。また、ローラ２１全体を発泡ゴムなどで構成してもよい。
【００２８】
また、ローラ２１の表面をミクロ発泡ゴムなどの吸着性素材で構成してもよく、これによれば、後述する清掃シート４の固定用粘着面４３ａ〜４３ｃを設けなくとも、基材４１がローラ表面に吸着して固定されるため、より経済的である。
【００２９】
グリップ２２は、合成樹脂の成形品からなり、手で把持しやすいように扁平な筒体に形成されている。この実施形態において、グリップ２２は単なる棒状体であるが、例えば滑り止め用のグリップや吊下用のフックなどを設けてもよい。
【００３０】
支持部２３は、ステンレスなどの金属棒をＵ字状に折り曲げ、さらにその一端をグリップ２２の軸線に対して直角に接続したものからなり、他端側には上述したローラ２１が支持部２３の軸線に沿って同軸的に回転可能に取り付けられている。
【００３１】
なお、この実施形態においては図示されていないが、清掃具本体２の一部として、ローラ２１を保護するためのカバーを別途用意してもよい。カバーの構成としては、本発明の出願人にかかる例えば特開２００３−５２６０２号公報に記載されたものが採用されてよい。
【００３２】
この実施形態において、ローラ２１は、支持部２３を介してグリップ２２がローラ２１の軸線に対して直交する方向に設けられているが、従来例として記載された本発明の出願人にかかる例えば特開２００２−３１５７１８号公報に記載されたローラの軸線とグリップの軸線とがほぼ平行な清掃具本体２に適用してもよい。
【００３３】
次に、シートストッカー３の構造について説明する。図１に示すように、このシートストッカー３は、ボール紙などの比較的厚手の板体からなるベース３１と、同ベース３１上に多数積層した状態で載置された清掃シート４と、同清掃シート４の長手方向の一端側に沿って上記ベース３１上に立設されたガイドレール３２とを備えている。
【００３４】
ベース３１の表面側には、清掃シート４およびガイドレール３２の他に商品展示用の吊下孔３１１が設けられている。また、ベース３１の裏面側には、本発明の粘着式清掃具１などの仕様や、その使用方法などの各種情報が印刷されている。なお、ベース３１の表面側にも商品説明やのポップ広告などを記載してもよい。
【００３５】
図２を併せて参照して、清掃シート４は、矩形状に形成された基材４１の一方の面（図２では下面）に被清掃面に付着したゴミを捕捉するための清掃用粘着面４２が設けられており、他方の面（図２では上面）には、清掃シート４をローラ２１の外周面に沿って固定するための固定手段としての固定用粘着面４３ａ〜４３ｃが設けられている。
【００３６】
清掃シート４は、その幅Ｗｓがローラ２１の軸方向の長さＬｒとほぼ等しく、その長さＬｓがローラ２１の外周の１周長分に相当する形状（この実施形態では矩形状）に形成されている。これによれば、ローラ２１の形状を一定サイズに規定しておけば、１台の製造装置で複数種類の清掃シート４を作り出すことができ、生産コストをより抑えることができる。また、消費者側も１つの清掃具本体２を用意しておくだけで、複数種類の清掃シート４を使用することができる。
【００３７】
基材４１は、紙製シートもしくは樹脂製シートのいずれであってもよく、さらにはエンボスなどの処理が施されていてもよい。この実施形態において、基材４１の上面（図２では固定用粘着面４３ａ〜４３ｃを有する面）には、例えばフッ素樹脂加工などの剥離処理が施されており、清掃シート４を積層した際に上層側に配置される清掃シート４を簡単に剥離できるようになっている。なお、剥離処理は、固定用粘着面４３ａ〜４３ｂの表面には設けられていない。
【００３８】
清掃用粘着面４２は、例えば合成ゴム系などの粘着剤が基材４１の裏面の全面に沿って一様に塗布された粘着剤層からなる。この実施形態において、清掃用粘着面４２は、基材４２の裏面側に一様に塗布されているが、例えば縦縞状（いわゆるスジ塗り）やスポット状に設けてもよく、清掃用粘着面４２の形成条件は、清掃シート４の被清掃面の種類などによって適宜選択可能である。
【００３９】
また、粘着剤の種類は、この実施形態では、一般的な合成ゴム系粘着剤が用いられているが、これ以外の粘着剤としては、天然ゴム系やアクリル系などが使用され、被清掃面の種類により粘着剤組成物はいかようにもモディファイされる。すなわち、一般的にゴミの捕捉力を上げたい場合は、粘性の強い組成にモディファイするし、フローリングなどの被清掃面に対しては架橋系アクリルの粘着剤が好適である。
【００４０】
固定用粘着面４３ａ〜４３ｃは、基材４１の上面側に、その幅方向に沿って設けられてた帯状の粘着剤層からなり、この実施形態では基材４１の長手方向の両端および中央の合計３カ所に設けられている。
【００４１】
この実施形態において、固定用粘着面４３ａ〜４３ｃは、基材４１の幅方向に沿って３カ所設けられているが、４カ所であってもよいし、極端に言えば、全面に設けられていてもよい。
【００４２】
ところで、清掃シート４を図２に示すように積層させた場合、各固定用粘着面４３ａ〜４３ｃは、上層に配置される清掃シート４の清掃用粘着面４２と直に接触する。
【００４３】
そこで、固定用粘着面４３ａ〜４３ｃを構成する粘着剤は、清掃用粘着面４２よりも粘着力が小さな粘着剤が好ましい。これによれば、粘着面同士が接触しても、固定用粘着面４３ａ〜４３ｃの粘着力が弱められているため、最表層の清掃シート４を無理なく剥がし取ることができる。
【００４４】
上述した実施形態では、固定用粘着面４３ａ〜４３ｃを基材４１に独立して設けているが、これ以外の手法としては、図３に示すように、清掃シート４の一部（この実施形態では両端）をほぼ１８０°折り曲げて、清掃シート４の上面に清掃用粘着面４２の一部を露出させた固定用粘着面４２ａ、４２ｂを用いてもよい。これによれば、固定用粘着面４２ａ、４２ｂが清掃用粘着面４２の一部を共有することにより、粘着剤の使用量を減らすことができ、製造コストを安く抑えることができる。
【００４５】
この場合、固定用粘着面４２ａ、４２ｂは、清掃用粘着面４２と同じ粘着剤が用いられてるため、図３に示すように清掃シート４を積層すると、各清掃シート４同士が強固に貼り付いて剥がし取れないおそれがある。そこで、この実施形態では、上層の清掃シート４の粘着面４２と下層の粘着シート４の固定用粘着面４２ａ、４２ｂとの間にセパレータ５を挟み込むことで、各清掃シート４同士の貼り付きを防止している。
【００４６】
なお、この実施形態では、セパレータ５を粘着面の間に介在させて清掃シート４の貼り付きを防止しているが、例えば、清掃用粘着面４２の両端側をエンボス加工などによって弱粘着処理し、粘着力を低下させてもよい。
【００４７】
このように形成された清掃シート４は、互いに重なり合うようにして複数枚積層された状態でベース３１の上に固定される。このとき、ベース３１の清掃シート４の載置面には最後の清掃シート４の粘着面を保護するための剥離処理が施されていることが好ましい。また、最表層の清掃シート４の上面には、固定用粘着面４３ａ〜４３ｃを保護する目的から、図示しない保護シートがさらに積層されていることが好ましい。
【００４８】
ガイドレール３２は、ベース３１と同じボール紙などの比較的強固な板体を角柱状に折り曲げ加工したものからなり、ベース３１に対して両面粘着テープなどを介して固着されている。この実施形態において、ガイドレール３２は、清掃シート４の長さＬｓよりも若干長く形成されている。
【００４９】
図４に示すように、ガイドレール３２は、その高さＨが清掃シート４の積層高さｈよりも高く形成されていることが好ましい。これによれば、ローラ２１に対して清掃シート４を巻き付ける際に、ガイドレール３２の側壁面がろーら２１の側面に常に当接して、ローラ２１を清掃シート４に沿って確実にガイドすることができる。
【００５０】
この実施形態において、ガイドレール３２は、清掃シート４の一方の側端（図４では右側端）に設けられているが、よりガイド性を高めるため、清掃シート４の他方の側端にもガイドレール３２を設け、平行配置された２本のガイドレール３２の間に清掃シート４を配置するようにしてもよい。
【００５１】
次に、図１および図５（ａ）〜（ｃ）を参照して、本発明の粘着式清掃具１の使用手順の一例を説明する。粘着式清掃具１を使用するに当たっては、まず、清掃具本体２のグリップ２２を手で把持し、図５（ａ）に示すように、ローラ２１をその側面がガイドレール３２の側壁面と接触するようにして、シートストッカー３上の清掃シート４の一端に押し付ける。
【００５２】
ローラ２１を清掃シート４に押し付けると、清掃シート４の最初の固定用粘着面４３ａがローラ２１の表面に貼り付く。この状態のまま、清掃具本体２をガイドレール３２に沿って水平方向に転がしていくと、ローラ２１の表面に清掃シート４が巻き付き始める。
【００５３】
ローラ２１をこのまま押し進め、ローラ２１に清掃シートを巻き付けながら、図５（ｂ）に示すように、ローラ２１が清掃シート４の中間地点まで来ると、清掃シート４に設けられた第２の固定用粘着面４３ｂがローラ２１の表面に貼り付く。
【００５４】
さらに、ローラ２１を押し進めていき、清掃シート４の終端にローラ２１が差し掛かると、図５（ｃ）に示すように、清掃シート４の最後の固定用粘着面４３ｃがローラ２１に貼り付き、同時に清掃シート４はシートストッカー３から離れてローラ２１上に完全に巻き付く。
【００５５】
この状態で、使用者は、清掃具本体２のローラ２１をカーペットなどの図示しない被清掃面上で転がすことで、被清掃面上に付着したゴミを清掃シート４の粘着面４２で捕捉することができる。
【００５６】
清掃シート４の使用後は、ゴミの付着した清掃シート４をローラ２１から剥がし取って捨ててもよいし、新しい清掃シート４で清掃したい場合には、汚れた清掃シート４を残したまま、その上に上述した方法で新しい清掃シート４を巻き付けてもよい。また、清掃シート４の種類を変えて使うこともできる。
【００５７】
上述した実施形態においては、ローラ２１に１枚の清掃シート４を貼り付ける手順について説明したが、積層シート４を複数枚（例えば３枚）積層した状態のままローラ２１に巻き付けてもよい。これによれば、最外層の清掃シート４をローラ２１から順次剥がし取っていくことで、積層枚数分の新しい清掃シート４を連続して使用することができる。
【００５８】
ローラ２１に巻き付けられた清掃シート４をより簡単に剥がし取るため、清掃シート４の一部に連続した切れ目（例えばミシン目など）からなる切断部をさらに設けておき、この切断部から清掃シート４を切り離してもよい。なお、切断部は固定用粘着面４３ａ〜４３ｃ以外の場所に設けることがより好ましい。
【００５９】
上述した実施形態において、清掃シート４は最も一般的なカーペット用を例にとって説明したが、本発明の清掃シート４は、基材４１や粘着剤の仕様を変えることで、例えばフローリング床用や畳床用、自動車シート用、皮革用など任意の被清掃面に対応可能であり、被清掃面は任意に設定可能である。
【００６０】
上述した実施形態では、清掃シート４は粘着面４２によってゴミを捕捉するようにしているが、例えば基材４１を不織布などで構成して、被清掃面を拭き取る構造としてもよく、移動体（ローラ２１）の上に固定手段を介して巻き付けて使用する基本的形態を備えていれば、これら各種変形例も本発明に含まれる。
【００６１】
【発明の効果】
以上説明したように、本発明によれば、被清掃面上を移動するローラを含む清掃具本体と、一方の面に上記被清掃面上に付着したゴミを捕捉する清掃用粘着面が形成され、他方の面が所定の固定手段を介して上記移動体の外周面に沿って巻き付けられる清掃シートとを有することにより、使用する直前に清掃シートを清掃具本体の移動体に巻き付けて使用することが可能となり、清掃を終え汚れた清掃シートは今まで通り簡単に除去することができる。また、使用する床材の種類に応じて清掃シートの種類を簡単に変更することができ、１つの清掃具本体で多種の清掃シートに適用することができる。
【図面の簡単な説明】
【図１】本発明の一実施形態に係る粘着式清掃具の基本形態を説明する斜視図。
【図２】清掃シートの構造を説明する断面図。
【図３】清掃シートの別の形態を説明するための断面図。
【図４】ガイドレールの構造を説明するための底面図。
【図５】本発明の粘着式清掃具の使用手順の流れを説明するための説明図。
【符号の説明】
１  粘着式清掃具
２  清掃具本体
２１  ローラ
２２  グリップ
２３  支持部
３  シートストッカー
３１  ベース
３２  ガイドレール
４  清掃シート
４１  基材
４２  清掃用粘着面
４３ａ〜４３ｃ  固定用粘着面
【図１】
2005013642.tif 000003
【図２】
2005013642.tif 000004
【図３】
2005013642.tif 000005
【図４】
2005013642.tif 000006
【図５】
2005013642.tif 000007